(57)【要約】【課題】チェンの左右方向の蛇行を抑制して、チェンがスプロケットから外れるのを防止したコンバインを提供する。【解決手段】フィーダハウス（３Ｄ）の枠体（１０）の左壁の後部に、エンジンの出力回転が伝動される第１スプロケット（１１）を設け、枠体（１０）の左壁の前部に、左右方向に延在する第１回転軸（１４）と、第１回転軸（１４）の下方に左右方向に延在する第２回転軸（１６）を設け、第１回転軸（１４）における第１スプロケット（１１）と対向する部位に、第２スプロケット（１２）を設け、第１回転軸（１４）における第２スプロケット（１２）の左側の部位に、第３スプロケット（１３）を設け、第２回転軸（１６）における第３スプロケット（１１）と対向する部位に、第４スプロケット（１５）を設け、第１スプロケット（１１）と第２スプロケット（１２）に第１チェン（２０）を巻回し、第３スプロケット（１３）と第４スプロケット（１６）に第２チェン（２１）を巻回した。【選択図】図４
2020080715.tif 000002
【特許請求の範囲】
【請求項１】
機体フレーム（１）の前側に圃場の穀稈を収穫する刈取前処理装置（３）と、該刈取前処理装置（３）の後方に脱穀装置（４）を備えたコンバインにおいて、
前記刈取前処理装置（３）は、穀稈を掻込んで後方に搬送する掻込装置（３Ａ）と、搬送された穀稈の株元を切断する刈刃装置（３Ｂ）と、搬送された穀稈を一側に寄せ集めるオーガ装置（３Ｃ）と、寄せ集められた穀稈を脱穀装置（４）に搬送するフィーダハウス（３Ｄ）を備え、
該フィーダハウス（３Ｄ）の枠体（１０）の左壁の後部に、エンジンの出力回転が伝動される第１スプロケット（１１）を設け、
前記枠体（１０）の左壁の前部に、左右方向に延在する第１回転軸（１４）と、該第１回転軸（１４）の下方に左右方向に延在する第２回転軸（１６）を設け、
前記第１回転軸（１４）における第１スプロケット（１１）と対向する部位に、第２スプロケット（１２）を設け、
前記第１回転軸（１４）における第２スプロケット（１２）の左側の部位に、第３スプロケット（１３）を設け、
前記第２回転軸（１６）における第３スプロケット（１１）と対向する部位に、第４スプロケット（１５）を設け、
前記第１スプロケット（１１）と第２スプロケット（１２）に第１チェン（２０）を巻回し、
前記第３スプロケット（１３）と第４スプロケット（１６）に第２チェン（２１）を巻回したことを特徴とするコンバイン。
【請求項２】
前記オーガ装置（３Ｃ）のオーガフレーム（４０）の後壁における第１チェン（２０）と対応する部位に、第１前張力調整装置（２３）を設け、前記枠体（１０）の左壁から左側に突設する支持部材（２８）における第１チェン（２０）と対応する部位に、第１後張力調整装置（２４）を設けた請求項１記載のコンバイン。  
【請求項３】
前記オーガフレーム（４０）の後壁における第２チェン（２１）と対応する部位に、第２張力調整装置（２２）を設けた請求項１又は２記載のコンバイン。
【請求項４】
前記第２張力調整装置（２２）を板状のバネ鋼で形成し、機体側面視において、該バネ鋼を後方に向かって凸上の円弧に形成した請求項３記載のコンバイン。
【請求項５】
前記第１回転軸（１４）の左部に、第５スプロケット（３０）を設け、
前記第２回転軸（１６）の左部に、前記第２回転軸（１６）の回転を往復揺動に変換する変換装置（３１）を設け、該変換装置（３１）の前部に、前記変換装置（３１）のから出力される往復揺動を刈刃装置（３Ｂ）に伝動するヨーク軸（３２）を設け、
前記オーガフレーム（４０）の左右壁に、左右方向に延在する第３回転軸（４１）を設け、
該第３回転軸（４１）のオーガフレーム（４０）の左壁よりも左側部における第５スプロケット（３０）に対向する部位に、第６スプロケット（４３）を設け、
該第３回転軸（４１）のオーガフレーム（４０）の左壁よりも左側部における第６スプロケット（４３）の左側に第７スプロケット（４４）を設け、
前記第３回転軸（４１）の軸心視において、前記ヨーク軸（３２）を第６スプロケット（４３）と第７スプロケット（４４）の外周部よりも内側に設けた請求項１〜４のいずれか１項に記載のコンバイン。
【発明の詳細な説明】
【技術分野】
【０００１】
本発明は、刈取前処理装置を備えたコンバインに関するものである。
【背景技術】
【０００２】
従来の刈取前処理装置のフィーダハウスの枠体の左壁の外面に、エンジンの出力回転を刈取前処理装置の掻込装置と、刈取装置と、オーガ装置に伝動する伝動部材を設ける技術が知られている。（特許文献１）
【先行技術文献】
【特許文献】
【０００３】
【特許文献１】特開２０１４−１２４１６１号公報
【発明の概要】
【発明が解決しようとする課題】
【０００４】
しかし、特許文献１に開示された技術では、左壁の後部に設けられたエンジンの出力回転が伝動される駆動スプロケットと、左壁の前部に設けられた掻込装置とオーガ装置にエンジンの出力回転を伝動する第１従動スプロケットと、第１従動スプロケットの下側に設けられた刈取装置にエンジンの出力回転を伝動する第２従動スプロケットにチェンが巻回されているので、移動中にチェンが左右方向に大きく蛇行してスプロケットから外れる恐れがあった。
【０００５】
そこで、本発明の課題は、チェンの左右方向の蛇行を抑制して、チェンがスプロケットから外れるのを防止したコンバインを提供することにある。
【課題を解決するための手段】
【０００６】
上記課題を解決した本発明は次記のとおりである。
請求項１に係る発明は、機体フレーム（１）の前側に圃場の穀稈を収穫する刈取前処理装置（３）と、該刈取前処理装置（３）の後方に脱穀装置（４）を備えたコンバインにおいて、
前記刈取前処理装置（３）は、穀稈を掻込んで後方に搬送する掻込装置（３Ａ）と、搬送された穀稈の株元を切断する刈刃装置（３Ｂ）と、搬送された穀稈を一側に寄せ集めるオーガ装置（３Ｃ）と、寄せ集められた穀稈を脱穀装置（４）に搬送するフィーダハウス（３Ｄ）を備え、該フィーダハウス（３Ｄ）の枠体（１０）の左壁の後部に、エンジンの出力回転が伝動される第１スプロケット（１１）を設け、前記枠体（１０）の左壁の前部に、左右方向に延在する第１回転軸（１４）と、該第１回転軸（１４）の下方に左右方向に延在する第２回転軸（１６）を設け、前記第１回転軸（１４）における第１スプロケット（１１）と対向する部位に、第２スプロケット（１２）を設け、前記第１回転軸（１４）における第２スプロケット（１２）の左側の部位に、第３スプロケット（１３）を設け、前記第２回転軸（１６）における第３スプロケット（１１）と対向する部位に、第４スプロケット（１５）を設け、前記第１スプロケット（１１）と第２スプロケット（１２）に第１チェン（２０）を巻回し、前記第３スプロケット（１３）と第４スプロケット（１６）に第２チェン（２１）を巻回したことを特徴とするコンバインである。
【０００７】
請求項２に係る発明は、前記オーガ装置（３Ｃ）のオーガフレーム（４０）の後壁における第１チェン（２０）と対応する部位に、第１前張力調整装置（２３）を設け、前記枠体（１０）の左壁から左側に突設する支持部材（２８）における第１チェン（２０）と対応する部位に、第１後張力調整装置（２４）を設けた請求項１記載のコンバインである。
【０００８】
請求項３に係る発明は、前記オーガフレーム（４０）の後壁における第２チェン（２１）と対応する部位に、第２張力調整装置（２２）を設けた請求項１又は２記載のコンバインである。
【０００９】
請求項４に係る発明は、前記第２張力調整装置（２２）を板状のバネ鋼で形成し、機体側面視において、該バネ鋼を後方に向かって凸上の円弧に形成した請求項３記載のコンバインである。  
【００１０】
請求項５に係る発明は、前記第１回転軸（１４）の左部に、第５スプロケット（３０）を設け、前記第２回転軸（１６）の左部に、前記第２回転軸（１６）の回転を往復揺動に変換する変換装置（３１）を設け、該変換装置（３１）の前部に、前記変換装置（３１）のから出力される往復揺動を刈刃装置（３Ｂ）に伝動するヨーク軸（３２）を設け、前記オーガフレーム（４０）の左右壁に、左右方向に延在する第３回転軸（４１）を設け、該第３回転軸（４１）のオーガフレーム（４０）の左壁よりも左側部における第５スプロケット（３０）に対向する部位に、第６スプロケット（４３）を設け、該第３回転軸（４１）のオーガフレーム（４０）の左壁よりも左側部における第６スプロケット（４３）の左側に第７スプロケット（４４）を設け、前記第３回転軸（４１）の軸心視において、前記ヨーク軸（３２）を第６スプロケット（４３）と第７スプロケット（４４）の外周部よりも内側に設けた請求項１〜４のいずれか１項に記載のコンバインである。  
【発明の効果】
【００１１】
請求項１記載の発明によれば、第１チェン（２０）の長さを短くできるので、第１チェン（２０）の左右方向に蛇行を抑制して、第１チェン（２０）が第１スプロケット（１１）や第２スプロケット（１２）から外れるのを防止することができる。また、第２チェン（２１）の長さを短くできるので、第２チェン（２１）の左右方向に蛇行を抑制して、第２チェン（２１）が第３スプロケット（１３）や第４スプロケット（１５）から外れるのを防止することができる。
【００１２】
請求項２記載の発明によれば、請求項１記載の発明の効果に加えて、第１チェン（２０）の張力を所定の範囲に維持して、第１チェン（２０）が第１スプロケット（１１）や第２スプロケット（１２）から外れるのをより防止することができる。
【００１３】
請求項３記載の発明によれば、請求項１又は２記載の発明の効果に加えて、第２チェン（２１）の張力を所定の範囲に維持して、第２チェン（２１）が第３スプロケット（１３）や第４スプロケット（１５）から外れるのをより防止することができる。
【００１４】
請求項４記載の発明によれば、請求項３記載の発明の効果に加えて、第２張力調整装置（２２）を簡易に形成することができる。
【００１５】
請求項５記載の発明によれば、請求項１〜４のいずれか１項に記載の発明の効果に加えて、第６スプロケット（４３）と第７スプロケット（４４）に巻回されたチェンの左右方向の蛇行を抑制して、第６スプロケット（４３）と第７スプロケット（４４）を近接して配置することができる。
【図面の簡単な説明】
【００１６】
【図１】コンバインの平面図である。
【図２】コンバインの左側面図である。
【図３】コンバインの正面図である。
【図４】フィーダハウスを前後方向に亘って縦方向に断面した左側面図である。
【図５】（ａ）はフィーダハウスを左右方向に亘って縦方向に断面した背面図であり、（ｂ）はテンショナーの左側面図である。
【図６】フィーダハウスにおける左側前部の平面図である。
【図７】オーガ装置と刈刃装置の左側面図である。
【図８】掻込装置における左側後部の平面図である。
【図９】掻込装置の従動側スプロケットに設けられたチェンカバーの平面図である。
【図１０】オーガカバーとリールカバーの平面図である。
【図１１】（ａ）は掻込装置の左側面図であり、（ｂ）はリールフレーム前部の平面図である。
【発明を実施するための形態】
【００１７】
図１〜３に示すように、汎用コンバインは、機体フレーム１の下側に土壌面を走行する左右一対のクローラからなる走行装置２が設けられ、機体フレーム１の前側に圃場の穀稈を収穫する刈取前処理装置３が設けられ、刈取前処理装置３の後方左側に収穫された穀稈を脱穀・選別処理する脱穀装置４が設けられ、刈取前処理装置３の後方右側に操縦者が搭乗する操縦部５が設けられている。
【００１８】
操縦部５の下部には、エンジンが設けられ、操縦部５の後側には、脱穀・選別処理された穀粒を貯留するグレンタンク６が設けられ、グレンタンク６の後側には、穀粒を外部に排出する排出筒７が設けられている。排出筒７は、グレンタンク６の下部に連通され上下方向に延在する縦排出筒と、縦排出筒の上部に連通され前後方向に延在する横排出筒から形成されている。
【００１９】
刈取前処理装置３は、圃場の穀稈を起立させながら掻込んで後方に搬送する掻込装置３Ａと、後方に搬送された穀稈の株元を切断する刈刃装置３Ｂと、後方に搬送された穀稈を左側に寄せ集めるオーガ装置３Ｃと、寄せ集められた穀稈を脱穀装置４に搬送するフィーダハウス３Ｄから構成されている。
【００２０】
図４，５に示すように、フィーダハウス３Ｄの枠体１０の左側後部には、エンジンの出力回転が伝動されるスプロケット（請求項おける「第１スプロケット」）１１が設けられ、スプロケット１１は支軸（図示省略）に固定されている。枠体１０の左側前部には、スプロケット１１の回転が伝動されるスプロケット（請求項おける「第２スプロケット」）１２が設けられ、スプロケット１２の左側には、スプロケット（請求項おける「第３スプロケット」）１３が設けられ、スプロケット１２とスプロケット１３は回転軸（請求項おける「第１回転軸」）１４に固定されている。枠体１０の左側前部におけるスプロケット１３の下側には、スプロケット１３の回転が伝動されるスプロケット（請求項おける「第４スプロケット」）１５が設けられ、スプロケット１５は回転軸（請求項おける「第２回転軸」）１６に固定されている。また、枠体１０の左側中間部には、アイドラ１７と、アイドラ１７の前方下部にアイドラ１８が設けられている。
【００２１】
スプロケット１１と、アイドラ１７と、アイドラ１８、スプロケット１２にはチェン（請求項おける「第１チェン」）２０が巻回され、スプロケット１３とスプロケット１５にはチェン（請求項おける「第２チェン」）２１が巻回されている。
【００２２】
オーガ装置３Ｃのオーガフレーム４０の後壁には、チェン２１の張力を調整する張力調整装置（請求項おける「第２張力調整装置」）２２と、チェン２０の張力を調整する張力調整装置（請求項おける「第１前張力調整装置」）２３を装着する支持部材２６が着脱自在に固定されている。
【００２３】
支持部材２６は、オーガフレーム４０の後壁に固定されるプレート部２６Ａと、プレート部２６Ａから後方に立設するプレート部２６Ｂから形成され、プレート部２６Ｂには、回転軸１４を挿通する開口部２７Ａと、開口部２７Ａの下側に回転軸１６を挿通する開口部２７Ｂが形成されている。
【００２４】
プレート部２６Ａにおけるチェン２１に対向する部位には、チェン２１の張力を調整する張力調整装置２２が設けられている。張力調整装置２２は、板状のバネ鋼で形成し、機体側面視において、後方に向かって凸状の円弧に湾曲させて形成するのが好ましい。これにより、チェン２１の張力を所定の範囲に維持して、チェン２１がスプロケット１３やスプロケット１５からの脱落を防止することができる。また、張力調整装置２２を簡易に形成することができる。
【００２５】
プレート部２６Ｂの右面には、チェン２０の張力を調整する張力調整装置２３が設けられている。張力調整装置２３は、チェン２０に押接されるアイドラと、アイドラを回転自在に支持するアームから形成されている。アームの前部は、プレート部２６Ｂの右面の開口部２７Ａと開口部２７Ｂの間の部位に回転自在に固定されている。アームは、後下がりに延在し、アームの後部に支持されたアイドラは、チェン２０の下側から上側に向かってチェン２０を押接する。なお、アームには、アイドラを反時計方向に移動させる付勢手段（図示省略）が接続されている。これにより、チェン２０の張力を所定の範囲に維持して、チェン２０がスプロケット１１やスプロケット１２からの脱落を防止することができる。
【００２６】
枠体１０の左壁の前後方向の中間部には、チェン２０の張力を調整する張力調整装置（請求項おける「第１後張力調整装置」）２４が設けられている。張力調整装置２４は、スプロケット１３からスプロケット１１に移動するチェン２０を上側から下側に向かって押接する後アイドラと、スプロケット１３からスプロケット１１に移動するチェン２０を下側から上側に向かって押接する前アイドラと、後アイドラと前アイドラを連結するアームから形成されている。
【００２７】
後アイドラは、枠体１０の左壁の左面に設けられた支持部材２８に回転自在に支持されている。アームには、前アイドラを時計方向に移動させる付勢手段（図示省略）が接続されている。これにより、チェン２０の張力を所定の範囲に維持して、チェン２０がスプロケット１１やスプロケット１２からの脱落を防止することができ、また、チェン２０が移動時に左右方向に大きく蛇行するのを防止することができる。
【００２８】
回転軸１４の左部は、回転軸１６の左部よりも右側に位置している。回転軸１４の左部には、スプロケット３０が設けられ、回転軸１６の左部には、入力軸から入力される回転運動を出力軸の軸心まわりの往復揺動運動に変換する変換装置３１が設けられている。この変換装置３１は、回転軸１６の回転によって、ヨーク軸３２をヨーク軸３２の軸心回りに往復揺動させる。
【００２９】
図６，７に示すように、オーガ装置３Ｃのオーガフレーム４０の左壁と右壁には、左右方向に延在する回転軸（請求項おける「第３回転軸」）４１が架設され、回転軸４１には、掻込装置３Ａによって掻込まれた穀稈をフィーダハウス３Ｄの連通口の前方に位置する掻込みオーガ４２が装着されている。
【００３０】
回転軸４１におけるオーガフレーム４０の左壁から左側のスプロケット３０に対向する部位には、スプロケット（請求項おける「第６スプロケット」）４３が設けられている。また、スプロケット４３の左側には、回転軸４１に伝動された回転を掻込装置３Ａに伝動するスプロケット（請求項おける「第７スプロケット」）４４が設けられている。なお、スプロケット４３の径は、スプロケット４４の径よりも大きく形成されている。
【００３１】
オーガフレーム４０の後壁の上面には、掻込装置３Ａの前後方向に延在するリールアーム６７Ａとリールアーム６７Ｂの後部を回転自在に支持する左右方向に延在する回転軸４５が設けられ、回転軸４５の左部には、スプロケット４３の回転が伝動されるスプロケット４６が設けられている。
【００３２】
スプロケット３０とスプロケット４３には、チェン４７が巻回され、オーガフレーム４０の後壁には、チェン４７の張力を調整する張力調整装置４７Ａが設けられている。張力調整装置４７Ａは、スプロケット３０からスプロケット４３に移動するチェン４７を上側から下側に向かって押接するアイドラと、アイドラを回転自在に支持するアームから形成されている。なお、アームには、アイドラを反時計方向に移動させる付勢手段（図示省略）が接続されている。これにより、チェン４７の張力を所定の範囲に維持して、チェン４７がスプロケット３０やスプロケット４３からの脱落を防止することができる。
【００３３】
スプロケット４４とスプロケット４６には、チェン４８が巻回され、オーガフレーム４０の後壁には、チェン４８の張力を調整する張力調整装置４８Ａが設けられている。張力調整装置４８Ａは、スプロケット４４からスプロケット４６に移動するチェン４８を下側から上側に向かって押接するアイドラと、アイドラを回転自在に支持するアームから形成されている。なお、アームには、アイドラを時計方向に移動させる付勢手段（図示省略）が接続されている。これにより、チェン４８の張力を所定の範囲に維持して、チェン４８がスプロケット４４やスプロケット４６からの脱落を防止することができる。
【００３４】
オーガ装置３Ｃのオーガフレーム４０の前部には、刈刃装置３Ｂの刈刃５０が設けられている。刈刃５０は、オーガフレーム４０の前部に固定された左右方向に延在する下刈刃５０Ａと、下刈刃５０Ａの上面を左右方向に移動する左右方向に延在する上刈刃５０Ｂで形成されている。
【００３５】
コーク軸３２の前部には、略上下方向に延在するアーム５１の上部が連結され、アーム５１の下部は、上刈刃５０Ｂの上面における左側後部に連結されている。これにより、回転軸１６の回転がヨーク軸３２を介してアーム５１に伝動され、上刈刃５０Ｂを左右方向に移動させることができる。
【００３６】
オーガフレーム４０の左壁には、ヨーク軸３２やスプロケット４４を左側から覆う着脱自在なオーガカバー４９が設けられている。これにより、作業者がヨーク軸３２等の駆動部に接触するのを防止して、作業環境の安全性を高めることができる。
【００３７】
平面視において、ヨーク軸３２は、スプロケット４４の左側に近接して設けられている。これにより、ヨーク軸３２をオーガフレーム４０の左壁に近接させて配置して、オーガカバー４９の左側方向への膨出を抑制することができる。
【００３８】
回転軸４１の軸心視において、ヨーク軸３２は、変換装置３１の前部からアーム５１の後部に亘って前上がり姿勢に設けられている。これにより、ヨーク軸３２とアーム５１の交差角度を略９０度に設定することができ、上刈刃５０Ｂを下刈刃５０Ａの上面に沿って効率良く左右に移動させることができる。また、回転軸４１の軸心視において、ヨーク軸３２は、回転軸４１の上側に位置し、回転軸４１の近傍においては、ヨーク軸３２は、スプロケット４３の外周部よりも回転軸４１側に偏移した位置に設けられ、スプロケット４４の外周部上部に重なって設けられている。これにより、チェン４７とチェン４８が移動時に左右方向に大きく蛇行するのを防止することができる。
【００３９】
図８，９に示すように、回転軸４５におけるスプロケット４６の左側部位には、回転軸４５の回転を掻込リール６０に伝動するプーリ５５が設けられている。
【００４０】
プーリ５５の径は、スプロケット４６の径と略同一径に形成されている。これにより、チェン４８と後述するベルト６６の干渉を防止して、スプロケット４６の左側に近接させてプーリ５５を設けることができ、後述するリールカバー６８の左側方向への膨出を抑制することができる。
【００４１】
プーリ５５は、左側プーリ部と右側プーリ部に２分割されたプーリが好ましい。これにより、左側プーリ部と右側プーリ部の左右方向の間隔を調整して、掻込リール６０の回転速度を微調整することができる。この場合、左側プーリ部を移動させて右側プーリ部を固定する形態、右側プーリ部を移動させて左側プーリ部を固定する形態のいずれの形態を採用することも可能であるが、左側プーリ部を回転軸４５の左右方向に移動させ、右側プーリ部を回転軸４５に固定する形態が好ましい。これにより、プーリ５５、ベルト６７の保守・交換作業を容易に行うことができる。
【００４２】
スプロケット４６の外周部には、防塵用カバー５７を設けるのが好ましい。これにより、スプロケット４６に掻込装置３Ａによって掻込まれた雑草等の付着を防止することができる。なお、防塵用カバー５７の下部には、チェン４８が移動可能な開口部が形成されている。
【００４３】
図１０，１１に示すように、掻込リール６０の左部には、左右方向に延在する回転軸６１に基部が固定された支持アーム６２Ａが設けられ、掻込リール６０の右部には、回転軸６１に基部が固定された支持アーム６２Ｂが設けられている。
【００４４】
掻込リール６０の各頂部には、左側の支持アーム６２Ａと右側の支持アーム６２Ｂに架設されている左右方向に延在する丸鋼からなるタイン支持部６３が設けられいる。また、タイン支持部６３には、左右方向に所定の間隔を隔てて樹脂製のタイン６４が装着されている。
【００４５】
回転軸６１におけるプーリ５５に対向する部位には、プーリ６５が設けられ、プーリ５５とプーリ６５には、ベルト６７が巻回されている。回転軸６１におけるプーリ６５よりも右側の部位には、後部が回転軸４５に回転自在に固定された前後方向に延在するリールアーム６７Ａに回転自在に固定され、回転軸６１の右部は、後部が回転軸４５に回転自在に固定された前後方向に延在するリールアーム６７Ｂに回転自在に固定されている。これにより、回転軸４５の回転がプーリ５５、プーリ６５等を介して回転軸６１に伝動され、掻込リール６０を回転させることができる。また、回転軸４５の回転を回転軸６１に伝動する伝動部を、オーガフレーム４０の左壁の上方に設けたので、回転軸４５の左右方向の長さを短くして、伝動部の軽量化を図ることができる。なお、リールアーム６７Ａの前後方向の中間部とオーガフレーム４０の左壁は、リールアーム６７Ａの中間部を上下方向に移動させる昇降シリンダ（図示省略）が設けられている。
【００４６】
リールアーム６７Ａの左面には、プーリ５５、プーリ６５、ベルト６６を左側から覆う着脱自在なリールカバー６８が設けられている。これにより、作業者がプーリ６５やルト６６等の駆動部に接触するのを防止して、作業環境の安全性を高めることができる。
【００４７】
平面視において、リールカバー６８の左壁の左面を、オーガカバー４９の左壁の左面よりも機体内側である右側に形成している。これにより、機体の進行方向の左側に位置する未刈穀稈の倒込みを防止して、機体の後方に未刈穀稈を効率良く案内することができる。
【００４８】
側面視において、掻込リール６０を下降させた下降状態時に、リールカバー６８の下部をオーガカバー４９の上部に近接するように形成するのが好ましい。これにより、掻込リール６０を下降させた下降状態で機体を走行させた場合に、リールカバー６８の下部とオーガカバー４９の上部の間に形成される隙間から未刈穀稈が掻込リール６０の内側に入り込むのを抑制することができる。
【００４９】
リールアーム６７Ａの前部には、未刈穀稈をリールカバー６８の機体外側である左側に案内する案内ガイド７０が設けられている。これにより、オーガフレーム４０の前端部に設けられた分草体７１で分草された未刈穀稈をリールカバー６８の左側に効率良く案内することができる。なお、分草体７１の後側には、未刈穀稈の株元を左側に案内するやナローガイド７２が設けられている。
【００５０】
平面視において、案内ガイド７０は、リールアーム６７Ａの前端部から前方に延在した後に前方左側に向かって延在する取付部７０Ａと、取付部７０Ａの前端部に固定されて、取付部７０Ａの前端部の前方右側から後方左側に向かって延在した後に湾曲して後方左側に向かって延在するガイド本体７０Ｂから形成されている。なお、ガイド本体７０Ｂの前方右側から後方左側に向かって延在する部位は、リールカバー６８の前部よりも前側に位置し、ガイド本体７０Ｂの湾曲する部位は、リールカバー６８の前側左部に位置し、ガイド本体７０Ｂの湾曲部位から後方左側に向かって延在する部位は、後方に延在するに従ってリールカバー６８の左面から離間するように形成されている。側面視において、案内ガイド７０は、後上がり姿勢に形成され、その後上がり傾斜角度は、リールアーム６７Ａの前部の後上がり傾斜角度と略同一角度に形成されている。これにより、案内ガイド７０の変形が抑制されて、未刈穀稈をリールカバー６８の左側により効率良く案内することができる。
【符号の説明】
【００５１】
１        機体フレーム
３        刈取前処理装置
３Ａ      掻込装置
３Ｂ      刈刃装置
３Ｃ      オーガ装置
３Ｄ      フィーダハウス
４        脱穀装置
１０      枠体
１１      スプロケット（第１スプロケット）
１２      スプロケット（第２スプロケット）
１３      スプロケット（第３スプロケット）
１４      回転軸（第１回転軸）
１５      スプロケット（第４スプロケット）
１６      回転軸（第２回転軸）
２０      チェン（第１チェン）
２１      チェン（第２チェン）
２２      張力調整装置（第２張力調整装置）
２３      張力調整装置（第１前張力調整装置）
２４      張力調整装置（第１後張力調整装置）
２８      支持部材
３０      スプロケット（第５スプロケット）
３１      変換装置
３２      ヨーク軸
４０      オーガフレーム
４１      回転軸（第３回転軸）
４３      スプロケット（第６スプロケット）
４４      スプロケット（第７スプロケット）
【図１】
2020080715.tif 000003
【図２】
2020080715.tif 000004
【図３】
2020080715.tif 000005
【図４】
2020080715.tif 000006
【図５】
2020080715.tif 000007
【図６】
2020080715.tif 000008
【図７】
2020080715.tif 000009
【図８】
2020080715.tif 000010
【図９】
2020080715.tif 000011
【図１０】
2020080715.tif 000012
【図１１】
2020080715.tif 000013